(57)【要約】【課題】集魚効果が高く、使用し易く、かつ形状が従来鉛製と比べて大きくてもほぼ同等で基本機能を保った釣具用錘を提供する。【解決手段】本体部（４）に集魚物質を保持しかつ環境に無害な金属部材からなる釣具用錘（１）において、錘本体部（４）の金属部材が、内部に多数の開空孔を有する多孔質タングステンおよび内部に多数の開空孔を有する多孔質タングステン重合金から選ばれる少なくとも一つであり、前記開空孔に集魚物質を含侵可能に形成する。内部の中空部（５）から集魚物質は本体部（４）の表面と裏面が連通している開空孔を通じて徐々に拡散される。【選択図】図２
2004113034.tif 000002
【特許請求の範囲】
【請求項１】
本体部に集魚物質を保持可能な金属部材からなる釣具用錘において、
前記錘本体部の金属部材が、内部に多数の開空孔を有する多孔質タングステンおよび内部に多数の開空孔を有する多孔質タングステン重合金から選ばれる少なくとも一つであり、
前記開空孔に集魚物質を含侵可能としたことを特徴とする釣具用錘。
【請求項２】
前記多孔質タングステンまたは多孔質タングステン重合金の空孔率が２０〜４０％の範囲、かつ見掛け比重が１１〜１５の範囲である請求項１に記載の釣具用錘。
【発明の詳細な説明】
【０００１】
【発明の属する技術分野】
本発明は、釣具用錘に関するものである。
【０００２】
【従来の技術】
釣具用錘は、釣り人がポイントに釣り餌あるいは疑似餌等を投げ込み泳走あるいは定着させるという基本機能を持つものである。ところが、近年では新たな付加機能の検討がされており、例えば特に魚類に対して集魚効果のある嗅覚刺激物を錘りに保持させるという提案が開示されている（特許文献１）。実施例では、上記嗅覚刺激物質を含んだ樹脂フィルムが錘本体の外周に装着された構成が示されている。一方で、釣具用錘の部材の見直しも進められてきた。
【０００３】
従来の釣具用錘には、一般的に比重の比較的高い鉛を主成分とする金属部材が用いられてきたが、かかる錘では有害である主成分の鉛が海水中に溶出したり、あるいは魚や小鳥等が過って鉛を食するという、いわゆる自然環境への汚染が問題となってきた。従って、近年では釣具用錘の金属部材として、環境に無害で比較的耐食性にも優れた真鍮やステンレス等が用いられている。
【０００４】
【特許文献１】
特開平８−３８０１４号公報
【０００５】
【発明が解決しようとする課題】
本発明者は、前記従来技術に鑑みて付加機能として集魚効果のある物質（以下、集魚物質と呼称）を保持させ、かつ自然環境に無害である釣具用錘の実用化に取組んだところ、下記の２つの問題が発生することがわかった。
（１）釣具用錘に含まれる集魚物質が本来水溶性であるが故に、実使用でかかる集魚物質を比較的長く保持して集魚効果を持続させるのが難しいことであった。従って、実使用では集魚物質を比較的頻繁に含ませる作業が必要であるなど、使用し難い錘りとなった。
（２）特に無害な部材として比重約８の真鍮及びステンレスを用いた場合に、比重約１１の鉛製と同重量にするには錘形状が大きくなり、よって海水中での表面抵抗の増大によって沈降時間が長くなり、また水流に流されるなど、錘としての基本機能が損なわれることであった。
【０００６】
本発明は、前記従来の問題を解決するため、集魚効果が高く、使用し易く、かつ形状が従来鉛製と比べて大きくてもほぼ同等で基本機能を保った釣具用錘を提供することを目的とする。
【０００７】
【課題を解決するための手段】
前記目的を達成するため、本発明の釣具用錘は、本体部に集魚物質を保持可能な金属部材からなる釣具用錘において、前記錘本体部の金属部材が、内部に多数の開空孔を有する多孔質タングステンおよび内部に多数の開空孔を有する多孔質タングステン重合金から選ばれる少なくとも一つであり、前記開空孔に集魚物質を含侵可能としたことを特徴とする。
【０００８】
これにより、特に基本的に集魚物質を比較的長く保持して付加機能としての集魚効果を持続でき、かつ無害で従来鉛製と少なくとも略同等の比重を有し、よって集魚効果に優れながらも使用し易く、かつ形状が従来鉛製に比べて大きくても略同等で基本機能を保った釣具用錘が得られる。
【０００９】
前記多孔質タングステンまたは多孔質タングステン重合金の空孔率が２０〜４０％の範囲、かつ見掛け比重が１１〜１５の範囲であることが好ましい。
【００１０】
これにより、高い集魚効果が得られるほかに、特に従来鉛製に対して同重量でありながら形状が略同等かより小形の釣具用錘が得られる。
【００１１】
なお、本発明において、多孔質タングステン重合金とは、タングステンを８０ｗｔ％以上含有する合金をいう。
【００１２】
【発明の実施の形態】
以下、本発明の実施の形態を図１および図２を用いて説明する。図１および図２は、本発明の実施の形態である釣具用錘の構成を示す。図１の錘１は、金属部材からなる本体部２に貫通孔３が設けられており、釣り糸を挿通することによって釣り糸に装着できるように構成されている。この実施形態は液体の集魚物質を含浸するのに適している。
【００１３】
図２の錘１は、金属部材からなる本体部４と、集魚物質を入れるための中空部５と、本体部４の一端に埋込まれたステンレス線からなる糸係具６から構成されている。中空部５から集魚物質は本体部４の表面と裏面が連通している開空孔を通じて徐々に拡散される。この実施形態は液体、固体、またはすり身の集魚物質を入れて拡散するのに適している。また、集魚物質としては液体が好ましい。本体部４はねじ部８によって分割可能となっている。
【００１４】
本体部２，４はそれぞれ多孔質タングステンあるいは多孔質タングステン重合金から構成されている。
【００１５】
本発明者は、特にタングステンおよびタングステン重合金が無害であるうえに、比重１９．３のタングステンＷあるいは比重１９．３のタングステンＷを主成分とする高比重の部材であることに着眼して、これを本体部２，４の金属部材として適用した。ここで、タングステン重合金の主組成はＷ−Ｎｉ−Ｃｕ系、Ｗ−Ｎｉ−Ｆｅ系及びＷ−Ｍｏ−Ｎｉ−Ｆｅ系のいずれかの組成を用いており、いずれもいわゆる粉末冶金法により製作した。すなわち、Ｗ粉末あるいはＷ粉末にＮｉ、Ｃｕ、Ｆｅ、Ｍｏの金属粉末を添加した混合金属粉末を成形用金型に充填し、これを加圧力約３ｔｏｎ／ｃｍ２で成形したものを、多孔質タングステンで作製する場合は１４００〜２０００℃、多孔質タングステン重合金で作製する場合は９００〜１４００℃でそれぞれ水素、アルゴン、真空等の非酸化性雰囲気で焼結したものである。
【００１６】
上記本実施形態の錘１の特徴は、図３の錘断面拡大図（実物の３００倍写真のトレース図）に示すように、（１）上記本体部２，４の金属部材として、特にタングステンおよびタングステン重合金の内部に多数の空孔７を有するいわゆる多孔質タングステンおよび多孔質タングステン重合金を導入して、（２）錘１の使用時において上記空孔７には、小魚及びエビのエキス等を含む市販の集魚物質を含侵させていることである。これにより、基本的に錘１の使用時での集魚物質を比較的長く保持してその集魚効果を持続させることができ、併せてタングステンおよびタングステン重合金そのものは本来高比重の部材であるので、多孔質でありながら従来の鉛製と略同等かそれ以上の比重を有する錘１を製作でき、よって集魚効果に優れながらも使用し易く、かつ形状が従来鉛製と大きくても略同等で基本機能を保った釣具用錘が得られた。
【００１７】
上記本体部２，４の多孔質タングステンおよび多孔質タングステン重合金において、比較的優れた集魚効果を得るには空孔率（本体部２，４の全体積のうち空孔７が占める割合）を高めて集魚物質の含侵量を増やすのが望ましいが、一方で空孔率を高め過ぎると比重が鉛製より低下して好ましくない。ここで本発明者は、具体的な多孔質タングステンおよび多孔質タングステン重合金の空孔率と比重の範囲について検討した。この結果、特に上記多孔質タングステンおよび多孔質タングステン重合金の空孔率を２０〜４０％の範囲に、また比重を１１〜１５の範囲にそれぞれ規定するのが妥当であることを確かめた。これにより、特に実使用で比較的優れた集魚効果が得られ、併せて従来鉛製に対して同重量でありながら形状が略同等かより小型の錘１が製作できた。ここで、特に錘１の小型化により、従来鉛製に比べて海水中での沈降時間を短縮できるなど、錘としての前記基本機能をも高めることができた。
【００１８】
上記本実施形態での典型的構成として、組成がＷ１００％、空孔率３５％、比重１２．５の多孔質タングステンおよびＷ９６％−Ｎｉ２．５％−Ｃｕ１．５％（但し、各組成は重量％）、空孔率３８％及び比重１１．３の多孔質タングステン重合金を用い、形状が図１の楕円球形で全体積１．５から５．０ｃｃの錘１、４を製作して、その集魚効果や基本機能を調べた。この結果、実際の集計釣果が従来鉛製に比べて約１５〜３０％増という比較的優れた集魚効果が確認され、また基本機能も従来鉛製と略同等であることも確かめられた。
【００１９】
以上のように、本体部４に集魚物質を保持しかつ環境に無害な金属部材からなる釣具用錘１において、錘本体部４の金属部材が、内部に多数の開空孔を有する多孔質タングステンおよび内部に多数の開空孔を有する多孔質タングステン重合金から選ばれる少なくとも一つであり、前記開空孔に集魚物質を含侵可能に形成する。内部の中空部５から集魚物質は本体部４の表面と裏面が連通している開空孔を通じて徐々に拡散される。これにより、集魚物質を比較的長く保持して優れた集魚効果を示し、かつ無害で従来鉛製と少なくとも略同等の基本機能を保った釣具用錘が実現できた。
【００２０】
【発明の効果】
本発明によれば、付加機能のための集魚物質を保持しかつ無害な金属部材からなる釣具用錘において、特に実使用で集魚物質を比較的長く保持して付加機能としての集魚効果を持続でき、かつ無害で従来鉛製と少なくとも略同等の比重を有し、よって集魚効果に優れながらも使用し易く、かつ形状が従来鉛製に比べて大きくても略同等で基本機能を保った釣具用錘が得られる。
【図面の簡単な説明】
【図１】本発明の実施の形態における釣具用錘の概略構成図
【図２】本発明の実施の形態における釣具用錘の概略構成図
【図３】本発明の実施の形態における多孔質タングステンまたは多孔質タングステン重合金釣具用錘の本体部の拡大図
【符号の説明】
１　錘
２　錘本体部
３　貫通孔
４　タングステンおよびタングステン重合金
５　中空部
６　糸係具
７　空孔
８　ねじ部
【図１】
2004113034.tif 000003
【図２】
2004113034.tif 000004
【図３】
2004113034.tif 000005